(57)【要約】【課題】紫外領域から近赤外領域まで幅広い領域において、高い測定精度かつ高い時間分解能で過渡吸収測定が可能である過渡吸収測定装置を提供する。【解決手段】物質の過渡吸収を測定する過渡吸収測定装置において、プローブ光源として定常光を、光検出手段としてアバランシェフォトダイオードを使用することにより、紫外領域から近赤外領域まで幅広い領域において高い測定精度かつ高い時間分解能で過渡吸収測定が可能である。【選択図】図１
2007212145.tif 000002
【特許請求の範囲】
【請求項１】
物質の過渡吸収を測定する過渡吸収測定装置であって、
物質を励起する励起光を発する励起光源と、
前記励起光により励起された物質を含む試料に向けて定常光であるプローブ光を発するプローブ光源と、
前記試料を透過した透過プローブ光を分光し出力光として出力する分光手段と、
前記出力光を検出する光検出手段と、
を有し、
前記光検出手段はアバランシェフォトダイオードを有することを特徴とする過渡吸収測定装置。
【請求項２】
請求項１に記載の過渡吸収測定装置であって、
前記アバランシェフォトダイオードは、Ｓｉ−アバランシェフォトダイオードであることを特徴とする過渡吸収測定装置。
【請求項３】
請求項１に記載の過渡吸収測定装置であって、
前記アバランシェフォトダイオードは、ＩｎＧａＡｓ−アバランシェフォトダイオードであることを特徴とする過渡吸収測定装置。
【請求項４】
請求項１〜３のいずれか１項に記載の過渡吸収測定装置であって、
前記光検出手段はさらにプリアンプを有することを特徴とする過渡吸収測定装置。
【請求項５】
請求項１〜４のいずれか１項に記載の過渡吸収測定装置であって、
前記励起光源において励起光は内部発振されることを特徴とする過渡吸収測定装置。
【請求項６】
物質の過渡吸収を測定する過渡吸収測定装置であって、
物質を励起する励起光を発する励起光源と、
前記励起光により励起された物質を含む試料に向けてプローブ光を発するプローブ光源と、
前記試料を透過した透過プローブ光を分光し出力光として出力する分光手段と、
前記出力光を検出する光検出手段と、
を有し、
前記光検出手段はＩｎＧａＡｓ−アバランシェフォトダイオードを有することを特徴とする過渡吸収測定装置。
【発明の詳細な説明】
【技術分野】
【０００１】
本発明は、物質の過渡吸収スペクトルを測定する過渡吸収測定装置に関する。
【背景技術】
【０００２】
励起状態分子や反応によって生成するラジカル等の瞬間的に生成した中間体の吸収スペクトルを実時間で計測する手法として過渡吸収分光が知られている。この方法は、パルスレーザ光を照射して光励起した物質にプローブ光を照射し、透過した光の強度の時間的変化を測定することにより、過渡吸収スペクトルの時間的変化を測定するものである。過渡吸収分光は、光化学等の分野において反応機構の解明などに用いられている。
【０００３】
ナノ秒〜ミリ秒の時間領域における過渡吸収を測定する装置として、例えば、励起光源としてパルス幅がナノ秒程度のパルスレーザ、プローブ光源としてＣＷキセノンランプ、分光器として回折格子分光器、光検出器として光電子増倍管を用いた過渡吸収測定装置が知られている。
【０００４】
また例えば、非特許文献１には、励起光源としてパルス幅がナノ秒程度のパルスレーザ、プローブ光源としてキセノンフラッシュランプ、分光器として回折格子分光器、光検出器として紫外可視領域においては光電子増倍管、近赤外領域においてはＩｎＧａＡｓ−ＰＩＮフォトダイオードを用いた過渡吸収測定装置が記載されている。
【０００５】
また、フェムト秒〜ピコ秒の時間領域における過渡吸収を測定する方法として、励起光に対してプローブ光のタイミングを変えるポンプ−プローブ法が知られている。
【０００６】
【非特許文献１】古部ら、「分光研究」、２００５年、第５４巻、ｐｐ．２〜１２
【発明の開示】
【発明が解決しようとする課題】
【０００７】
過渡吸収の測定において、上記過渡吸収測定装置のように、光検出器として光電子増倍管を用いることが一般的であるが、近赤外光に対応する光電子増倍管で十分に出力の得られるものはなく、近赤外領域における過渡吸収の測定は困難であった。
【０００８】
また、上記非特許文献１の過渡吸収測定装置のように、光検出器の感度が足りないことからプローブ光源として輝度の高いフラッシュランプを用いることが一般的であるが、励起光源、検出器等の他の部品とタイミングをとる制御系が必要となること、ジッタが大きいため測定精度が下がるという問題があった。さらに、近赤外領域における時間分解能が５０ｎｓｅｃ程度と低かった。
【０００９】
さらに、上記ポンプ−プローブ法では、フェムト秒〜ピコ秒の時間領域において過渡吸収を測定することはできるが、ナノ秒の時間領域においては過渡吸収を測定することができない。
【００１０】
本発明は、近赤外領域において、あるいは紫外領域から近赤外領域まで幅広い領域において、高い測定精度かつ高い時間分解能で過渡吸収測定が可能である過渡吸収測定装置である。
【課題を解決するための手段】
【００１１】
本発明は、物質の過渡吸収を測定する過渡吸収測定装置であって、物質を励起する励起光を発する励起光源と、前記励起光により励起された物質を含む試料に向けて定常光であるプローブ光を発するプローブ光源と、前記試料を透過した透過プローブ光を分光し出力光として出力する分光手段と、前記出力光を検出する光検出手段と、を有し、前記光検出手段はアバランシェフォトダイオード（ＡＰＤ）を有する。
【００１２】
また、前記過渡吸収測定装置において、前記アバランシェフォトダイオードは、Ｓｉ−アバランシェフォトダイオード（Ｓｉ−ＡＰＤ）であることが好ましい。
【００１３】
また、前記過渡吸収測定装置において、前記アバランシェフォトダイオードは、ＩｎＧａＡｓ−アバランシェフォトダイオード（ＩｎＧａＡｓ−ＡＰＤ）であることが好ましい。
【００１４】
また、前記過渡吸収測定装置において、前記光検出手段はさらにプリアンプを有することが好ましい。
【００１５】
また、前記過渡吸収測定装置において、前記励起光源において励起光は内部発振されることが好ましい。
【００１６】
また、本発明は、物質の過渡吸収を測定する過渡吸収測定装置であって、物質を励起する励起光を発する励起光源と、前記励起光により励起された物質を含む試料に向けてプローブ光を発するプローブ光源と、前記試料を透過した透過プローブ光を分光し出力光として出力する分光手段と、前記出力光を検出する光検出手段と、を有し、前記光検出手段はＩｎＧａＡｓ−アバランシェフォトダイオードを有する。
【発明の効果】
【００１７】
本発明では、物質の過渡吸収を測定する過渡吸収測定装置において、プローブ光源として定常光を、光検出手段としてアバランシェフォトダイオードを使用することにより、紫外領域から近赤外領域まで幅広い領域において高い測定精度かつ高い時間分解能で過渡吸収測定が可能である。
【００１８】
また、本発明では、物質の過渡吸収を測定する過渡吸収測定装置において、光検出手段としてＩｎＧａＡｓ−アバランシェフォトダイオードを使用することにより、近赤外領域において高い測定精度かつ高い時間分解能で過渡吸収測定が可能である。
【発明を実施するための最良の形態】
【００１９】
本発明の実施の形態について以下説明する。
【００２０】
本発明の実施形態に係る過渡吸収測定装置の一例の概略を図１に示し、その構成について説明する。過渡吸収測定装置１は、励起光源１０と、プローブ光源１２と、分光手段である分光器１４と、光検出手段である光検出器１６とを備える。
【００２１】
図１の過渡吸収測定装置１において、励起光源１０から発せられた励起光１８は、フィルタ２０を通り、ビームスプリッタ２２により一部が分岐され分岐光２４としてフォトダイオード２６に入れられる。また、残りの励起光１８は、フィルタ（またはレンズ）２８を通り、過渡吸収測定対象である物質を含むサンプル（試料）３０に照射される。フィルタ２０及びフィルタ（またはレンズ）２８は、励起光１８の強度を調整するものであり、目的に応じて変えればよい。ビームスプリッタ２２とフィルタ（レンズ）２８との間には第１シャッタ３２が設置されている。一方、プローブ光源１２から発せられたプローブ光３４は、フィルタ３６及びレンズ３８を通り、サンプル３０に照射される。レンズ３８とサンプル３０との間には第２シャッタ４０が設置されている。サンプル３０を透過した透過プローブ光４２は、レンズ４４及び４６を通って分光器１４に入れられ、分光器１４において分光され出力される。分光器１４から出力された出力光は光検出器１６に入れられる。なお、フィルタ３６は、分光器１４の回折格子による２次光を除去するために、短波長の光をカットする目的で設置される。光検出器１６はＳｉ−ＡＰＤ検出器及びプリアンプを含む第１プリアンプモジュールと、ＩｎＧａＡｓ−ＡＰＤ検出器及びプリアンプを含む第２プリアンプモジュールとを備える。また、フォトダイオード２６はオシロスコープ４８に接続されており、オシロスコープ４８は制御部５０に接続されている。励起光源１０、プローブ光源１２、光検出器１６にはそれぞれ電源５２，５４，５６が接続されている。第１シャッタ３２及び第２シャッタ４０には、シャッタコントローラ５８が接続されている。
【００２２】
本実施形態に係る過渡吸収測定装置１の動作について説明する。まず、励起光源１０から発せられた励起光１８は、フィルタ２０を通り、ビームスプリッタ２２により一部が分岐され分岐光２４としてフォトダイオード２６に入れられる。このフォトダイオード２６の出力がオシロスコープ４８に入れられ、トリガとされる。また、残りの励起光１８は、第１シャッタ３２が開かれたときにフィルタ（レンズ）２８を通り、サンプル３０に照射され、サンプル３０に含まれる物質が励起される。一方、プローブ光源１２から発せられたプローブ光３４は、フィルタ３６及びレンズ３８を通り、シャッタ４０が開かれたときにサンプル３０に照射される。ここで、サンプル３０中の励起された物質によりプローブ光３４の一部が吸収される。サンプル３０を透過した透過プローブ光４２は、レンズ４４及び４６を通って分光器１４に入れられ、分光器１４において分光され出力される。分光器１４から出力された出力光は、測定範囲が紫外可視領域の場合は光検出器１６のＳｉ−ＡＰＤ検出器に、近赤外領域の場合はＩｎＧａＡｓ−ＡＰＤ検出器に入れられる。出力光は、これらＡＰＤ検出器において光電変換され、ＡＰＤ検出器の出力がプリアンプで増幅された後、オシロスコープ４８上に表示され、オシロスコープ４８においてデジタル変換され、制御部５０でデータ処理される。
【００２３】
本実施形態では、光検出器１６はＳｉ−ＡＰＤ検出器及びプリアンプを含む第１プリアンプモジュールと、ＩｎＧａＡｓ−ＡＰＤ検出器及びプリアンプを含む第２プリアンプモジュールとを備える。光検出器１６において、測定範囲が２００ｎｍ〜１０００ｎｍの紫外可視領域の場合はＳｉ−ＡＰＤ検出器が、９００ｎｍ〜１７００ｎｍの近赤外領域の場合はＩｎＧａＡｓ−ＡＰＤ検出器が用いられるが、これらＡＰＤ検出器は高いゲインで光電変換が起こり、５０ＭＨｚ程度、すなわち７ナノ秒〜１０ナノ秒程度の時間分解能を有するため、出力光の検出の高速度化、高感度化を実現することができる。
【００２４】
本実施形態においては、ＡＰＤ検出器に使用される素子サイズや電気回路等の最適化を行うことにより、従来のＡＰＤ検出器よりも高時間分解能、高感度でありノイズの少ないものとすることができる。
【００２５】
プリアンプ（増幅器）としては、ＡＰＤ検出器からの出力を増幅するものであればよく特に制限はなく、増幅したい信号とノイズや周波数帯域に応じて決めればよい。
【００２６】
プローブ光源１２としては、定常光を発するものであれば特に制限はない。定常光を発する定常光ランプとしては、具体的にはキセノンランプ、ハロゲンランプ、水銀ランプ等が挙げられるが、光強度が極めて安定している、紫外領域〜赤外領域までの幅広いスペクトルを有する等の点からキセノンランプが好ましい。定常光ランプは光強度のばらつきが小さく、制御系に由来するジッタの問題を回避できる等の点からフラッシュランプに比べて有利である。定常光はフラッシュ光に比べて強度が小さいが、本実施形態においては光検出器１６として、感度の高いアバランシェフォトダイオードを使用するために、プローブ光として定常光を使用しても十分に検出することができる。したがって、プローブ光源１２として安定性の高い定常光を使用することができるために、高い精度で過渡吸収スペクトルを測定することができる。また、励起光源、検出器等の他の部品とタイミングをとる制御系も必要ない。
【００２７】
また、本実施形態において、光検出器１６としてＩｎＧａＡｓ−アバランシェフォトダイオードを使用するときは、プローブ光源１２としては、フラッシュ光を発するフラッシュランプであってもよい。フラッシュランプとしては、キセノンフラッシュランプ、重水素フラッシュランプ等が挙げられるが、瞬間的に強度が高く、紫外領域〜赤外領域までの幅広いスペクトルを有する等の点からキセノンフラッシュランプが好ましい。フラッシュランプとともにＩｎＧａＡｓ−アバランシェフォトダイオードを使用することにより、近赤外領域において過渡吸収スペクトルを測定することができる。
【００２８】
励起光源１０としては、半導体レーザ、固体レーザ、気体レーザ、色素レーザ、エキシマレーザ、自由電子レーザ等の短パルスレーザの他に、キセノンフラッシュランプ、パルス放電、放電プラズマ等を使用することができるが、パルス幅が短く、強度、指向性、単色性が高い等の点からレーザが好ましい。これらレーザとしては具体的には、Ｎｄ：ＹＡＧレーザ、アルゴンイオンレーザ、ＸｅＣｌエキシマレーザ、窒素レーザ等を用いることができ、過渡吸収の測定対象である物質の吸収波長等に応じて決めればよい。ジッタが小さい点からＹＡＧレーザが好ましい。また、６０Ｃｏ、１３７Ｃｓ等の人工放射性同位体からのγ線、線形加速器やバンデグラフ加速器等による高エネルギー電子線、サイクロトロンによる加速重粒子線等を用いてもよい。
【００２９】
発振するレーザの強度は、測定対象物質に応じて決めればよいが、例えば１ｍＷ〜１０ｍＷの範囲とすればよい。必要以上にレーザ強度が高すぎると、測定対象物質の分解や多光子吸収等が起こってしまうので好ましくない。
【００３０】
励起光源１０のレーザにおいて外部信号によってＱスイッチをかけてもよいが、励起光１８の安定化のために内部信号でＱスイッチをかける内部発振とすることが好ましい。これにより、測定精度を向上させることができる。
【００３１】
分光器１４としては、サンプル３０を透過した透過プローブ光４２を分光することができるものであればよく特に制限はなく、具体的には回折格子分光器、プリズム分光器、フーリエ変換型分光器等が挙げられるが、高い出力（感度）が得られる、使い易さ等の点から回折格子分光器が好ましい。また、回折格子による２次光の除去のために、短波長領域を除去する色ガラスフィルタ等の光学フィルタを併用することが好ましい。
【００３２】
本実施形態において、フォトダイオード２６の出力がオシロスコープ４８に入れられ、トリガとされること、また、プローブ光源１２としてフラッシュランプを用いないことから、励起光源１０、プローブ光源１２、光検出器１６等の同期を取る必要がないため、ジッタの影響がほとんどない。
【００３３】
第１シャッタ３２及び第２シャッタ４０の開閉には、シャッタコントローラ５８が用いられるが、手動で開閉が行われてもよい。
【００３４】
本実施形態において過渡吸収の測定手順は以下の通りである。
（１）サンプル３０をサンプルホルダにセットする。
（２）図２（Ａ）のように、励起光１８及びプローブ光源１２からのプローブ光３４共に、第１シャッタ３２及び第２シャッタ４０で遮断したときの光検出器１６の信号（Ｄａｒｋ）を測定する。
（３）図２（Ｂ）のように、励起光１８を第１シャッタ３２で遮断し、第２シャッタ４０は開としてプローブ光３４のみをサンプル３０に照射したときの光検出器１６の信号（Ｍｏｎｉｔｏｒ）を測定する。
（４）図２（Ｃ）のように、第１シャッタ３２及び第２シャッタ４０を開とし、励起光１８及びプローブ光３４の両方をサンプル３０に照射したときの光検出器１６の信号（Ｓｉｇｎａｌ）を測定する。
（５）図２（Ｄ）のように、制御部において下記式（１）により計算し、過渡吸収信号ΔＡｂｓを得る。さらに、以上の測定をプローブ光３４の任意の波長範囲において繰り返すことにより、過渡吸収スペクトルを得ることができる。
ΔＡｂｓ＝Ａｂｓｅｘ−Ａｂｓ＝−ｌｏｇ（Ｉｅｘ／Ｉ）        （１）
ここで、Ｉｅｘ＝（Ｓｉｇｎａｌ）−（Ｄａｒｋ）、Ｉ＝（Ｍｏｎｉｔｏｒ）−（Ｄａｒｋ）である。
【００３５】
以上の構成により、紫外領域から近赤外領域まで幅広い波長領域において過渡吸収測定が可能であり、また、高いＳ／Ｎ比、すなわち高い測定精度で過渡吸収測定が可能であるため、特に従来困難であった近赤外領域に吸収を示す物質の過渡吸収を高感度かつ高い時間分解能で測定することができる。さらに、高いＳ／Ｎ比で測定することができるため、データを積算する回数が少なくて済み、測定中のサンプルへのダメージを抑えることができる。また、装置構成がシンプルであるため、安価である。
【００３６】
特に、定常光と、プリアンプモジュールを備えるＩｎＧａＡｓ−ＡＰＤ検出器との組み合わせにより、７ｎｓｅｃ〜１０ｎｓｅｃ程度の時間分解能を達成することができる。
【００３７】
本実施形態に係る過渡吸収測定装置による測定対象は、励起状態分子、反応によって生成するラジカル分子、励起分子錯体、電子等の瞬間的に生成した中間体である。また、サンプル３０は固体状態、溶液状態、気体状態のいずれであってもかまわない。固体状態、溶液状態及び気体状態の透明なサンプルであって、均一な状態のものについては、サンプル３０に横方向から励起光１８を照射する、例えば図１のような過渡吸収測定装置１を使用すればよい。また、固体状態、溶液状態及び気体状態の透明なサンプルであって、光路長が短いものや、不均一な状態のものについては、サンプル３０に対して同軸または少しずらして励起光１８を照射する、例えば図３のような過渡吸収測定装置３を使用すればよい。さらに、粉末等の不透明なサンプルの場合は、照射したプローブ光の散乱光を用いて過渡吸収を測定することができる。例えば図４に示す過渡吸収測定装置５のように、プローブ光３４の散乱光である散乱プローブ光６８をモニタすればよい（拡散反射法）。このように、本実施形態に係る過渡吸収測定装置はサンプルの性状に応じて光路を変更することができるシステムである。
【実施例】
【００３８】
以下、実施例および比較例を挙げ、本発明をより具体的に詳細に説明するが、本発明は、以下の実施例に限定されるものではない。
【００３９】
（実施例１）
図１の過渡吸収測定装置１を使用して、亜鉛テトラフェニルポルフィリン（ＺｎＴＰＰ）からフラーレン（Ｃ６０）への電子受け渡しの様子を観察した。亜鉛テトラフェニルポルフィリン（ＺｎＴＰＰ）（２．５ｍＭ）及びフラーレン（Ｃ６０）（０．１ｍＭ）をベンゾニトリル中に溶解させ、サンプル３０とした。サンプル３０をサンプルホルダにセットし、励起光源１０としてＮｄ：ＹＡＧレーザ（波長：５３２ｎｍ、半値幅：８ｎｓ）を使用し、内部発振により励起光１８を発振させた。一方、プローブ光源１２としてＣＷキセノンランプ（１５０Ｗ）を使用し、定常光であるプローブ光３４を発光させた。なお、測定は室温（２５℃）、アルゴン雰囲気下で行った。
【００４０】
シャッタコントローラ５８により第１シャッタ３２及び第２シャッタ４０を閉じ、励起光１８及びプローブ光３４共に遮断した。分光器１４として回折格子分光器（測定する波長領域に応じて種々のフィルタを併用した）を、光検出器１６として、Ｓｉ−ＡＰＤ検出器及びプリアンプを含む第１プリアンプモジュールと、ＩｎＧａＡｓ−ＡＰＤ検出器及びプリアンプを含む第２プリアンプモジュールとを使用し、そのときの光検出器１６の信号（Ｄａｒｋ）を測定した。次に、励起光１８を第１シャッタ３２で遮断し、プローブ光３４のみをサンプル３０に照射したときの光検出器１６の信号（Ｍｏｎｉｔｏｒ）を測定した。さらに、励起光１８及びプローブ光３４の両方をサンプル３０に照射したときの光検出器１６の信号（Ｓｉｇｎａｌ）を測定した。
【００４１】
制御部５０において上記式（１）により計算し、過渡吸収信号ΔＡｂｓを得た。この操作をプローブ光３４の６００ｎｍ〜１２００ｎｍの波長範囲において行った。６００ｎｍ〜９００ｎｍの範囲ではＳｉ−ＡＰＤ検出器を、９００ｎｍ〜１２００ｎｍの範囲ではＩｎＧａＡｓ−ＡＰＤ検出器を使用した。
【００４２】
亜鉛テトラフェニルポルフィリンからフラーレンへの電子受け渡し反応は以下の式で表される。すなわち、亜鉛テトラフェニルポルフィリン（ＺｎＴＰＰ）が光を吸収して、励起三重項状態の亜鉛テトラフェニルポルフィリン（３ＺｎＴＰＰ＊）が生成する。励起三重項状態の亜鉛テトラフェニルポルフィリンからフラーレン（Ｃ６０）に電子移動が起こり、亜鉛テトラフェニルポルフィリンのラジカルカチオン（ＺｎＴＰＰ・＋）及びフラーレンのラジカルアニオン（Ｃ６０・−）が生成する。その後、フラーレンのラジカルアニオンから亜鉛テトラフェニルポルフィリンのラジカルカチオンへの電子移動が起こり、亜鉛テトラフェニルポルフィリン及びフラーレンに戻る。
ＺｎＴＰＰ  →  ３ＺｎＴＰＰ＊
３ＺｎＴＰＰ＊＋Ｃ６０  →  ＺｎＴＰＰ・＋＋Ｃ６０・−
ＺｎＴＰＰ・＋＋Ｃ６０・−→  ＺｎＴＰＰ＋Ｃ６０
【００４３】
サンプル３０に励起光１８を照射してから０．２５μｓｅｃ後の３ＺｎＴＰＰ＊の過渡吸収スペクトル及び２．５μｓｅｃ後のＣ６０・−の過渡吸収スペクトルを図５に示す。図５において、横軸は透過プローブ光の波長、縦軸は過渡吸収信号ΔＡｂｓである。このときの８４０ｎｍにおける３ＺｎＴＰＰ＊の吸収の減衰の様子及び１０８０ｎｍにおけるＣ６０・−の吸収の増加の様子を図６に示す。また、８４０ｎｍにおける３ＺｎＴＰＰ＊の吸収及び１０８０ｎｍにおけるＣ６０・−の吸収の時間変化を図７に示す。図６，７において、横軸は励起光１８を照射してからの経過時間、縦軸は過渡吸収信号ΔＡｂｓである。
【００４４】
このように、幅広い波長領域において亜鉛テトラフェニルポルフィリン（ＺｎＴＰＰ）からフラーレン（Ｃ６０）への電子受け渡し反応の様子を簡単な装置構成により７ｎｓｅｃ〜１０ｎｓｅｃ程度の時間分解能で高精度で観察することができた。特に、従来観察することが困難であった近赤外領域におけるＣ６０の吸収の増加の様子を高精度かつ高い時間分解能で観察することができた。
【００４５】
また、図８（ａ）、（ｂ）に実施例１で使用したＳｉ−ＡＰＤ検出器及びＩｎＧａＡｓ−ＡＰＤ検出器を用いた本装置の時間分解能を表すグラフを示す。これはＮｄ：ＹＡＧレーザの散乱光を測定したものである。これにより、実施例１で使用したＳｉ−ＡＰＤ検出器及びＩｎＧａＡｓ−ＡＰＤ検出器を用いた本過渡吸収測定装置が７ｎｓｅｃ〜１０ｎｓｅｃ程度の時間分解能を有することがわかる。
【図面の簡単な説明】
【００４６】
【図１】本発明の実施形態に係る過渡吸収測定装置の一例を示す概略図である。
【図２】（Ａ）〜（Ｄ）本発明の実施形態に係る過渡吸収測定方法を説明する図である。
【図３】本発明の実施形態に係る過渡吸収測定装置の他の例を示す概略図である。
【図４】本発明の実施形態に係る過渡吸収測定装置の他の例を示す概略図である。
【図５】実施例１で測定した、励起光を照射してから０．２５μｓｅｃ後の３ＺｎＴＰＰ＊の過渡吸収スペクトル及び２．５μｓｅｃ後のＣ６０・−の過渡吸収スペクトルを示す図である。
【図６】実施例１で測定した、８４０ｎｍにおける３ＺｎＴＰＰ＊の吸収の減衰の様子及び１０８０ｎｍにおけるＣ６０・−の吸収の増加の様子を示す図である。
【図７】実施例１で測定した、８４０ｎｍにおける３ＺｎＴＰＰ＊の吸収及び１０８０ｎｍにおけるＣ６０・−の吸収の時間変化を示す図である。
【図８】（ａ），（ｂ）実施例１で使用したＳｉ−ＡＰＤ検出器及びＩｎＧａＡｓ−ＡＰＤ検出器を用いた過渡吸収測定装置の時間分解能を示す図である。
【符号の説明】
【００４７】
１，３，５  過渡吸収測定装置、１０  励起光源、１２  プローブ光源、１４  分光器、１６  光検出器、１８  励起光、２０，３６  フィルタ、２２  ビームスプリッタ、２４  分岐光、２６  フォトダイオード、２８  フィルタ（レンズ）、３０  サンプル、３２  第１シャッタ、３４  プローブ光、３８，４４，４６，７４  レンズ、４０  第２シャッタ、４２  透過プローブ光、４８  オシロスコープ、５０  制御部、５２，５４，５６  電源、５８  シャッタコントローラ、６０  ビームディフューザ、６２，６４，６６，７０，７２  ミラー、６８  散乱プローブ光。
【図５】
2007212145.tif 000003
【図６】
2007212145.tif 000004
【図１】
2007212145.tif 000005
【図２】
2007212145.tif 000006
【図３】
2007212145.tif 000007
【図４】
2007212145.tif 000008
【図７】
2007212145.tif 000009
【図８】
2007212145.tif 000010